(57)【特許請求の範囲】
【請求項１】
脚支柱の上端に固定された上向き開口のベースと、前記ベースの上方に配置した座と、前記ベースの左右外側において後方に延びるように配置されると共に左右長手の軸によってベースに後傾自在に連結された揺動フレームと、前記座の後方に配置されると共に揺動フレームに取り付けられた背もたれと、前記揺動フレームの後傾動を弾性的に支持するためにベース内に設けたばねとが備えられている、という構成において、
前記ベースは、段違い状の境界部を挟んで手前が幅広部で後方が幅狭部になった平面視略凸形に形成されており、前記ベースの幅狭部が脚支柱に固定されていて揺動フレームはベースの幅広部に連結されている一方、
前記ばねはコイル状に巻かれた線材の一端部を半径外側に延長して荷重受け部と成しているキックばねであり、このキックばねを、荷重受け部が平面視でベースの幅狭部と揺動フレームとの間において後方に延びるように配置しており、前記キックばねの荷重受け部で左右揺動フレームの後傾動を支持しており、かつ、前記左右揺動フレームに、前記座を連結しているか又は座が取り付く中間部材を連結している、
ロッキング椅子。
【請求項２】
前記左右揺動フレームの回動中心よりも後方の部位は、当該揺動フレームに座をシンクロさせるための軸で連結されており、この座をシンクロさせるための軸が前記キックばねの荷重受け部で支持されている、
請求項１に記載したロッキング椅子。
【発明の詳細な説明】
【０００１】
【発明の属する技術分野】
本発明は、ロッキング椅子に関するものである。
【０００２】
【従来の技術】
ロッキング椅子は、一般に、脚支柱の上端に固定したベースに、背もたれが取り付く揺動フレームを傾動自在に連結して、揺動フレームの後傾動をばねによって支持した構造になっている。
【０００３】
この場合、ベースは上向きに開口した平面視略長方形の略箱状になっていることが多く、その内部にばねや他の部材を配置している。また、脚支柱としては、座の高さを調節できるようにガスシリンダが一般に使用されている。
【０００４】
更に、ばねとしては、圧縮コイルばねを使用する場合と、コイル状に巻かれた線材の一端部を半径外側に延長して荷重受け部と成しているキックばねを使用する場合とがある。
【０００５】
圧縮コイルばねを使用する場合、一般に、ベースの内部のうち揺動フレームの回動中心よりも手前側に配置しているため、着座した人が背もたれにもたれ掛かると、揺動フレームに作用したモーメントが圧縮コイルばねに対して大きな荷重として作用する傾向がある。特に、座が背もたれに連動して後傾（及び又は後退）するシンクロタイプの椅子の場合は、この傾向が大きい。
【０００６】
他方、キックばねを使用する場合は、一般に、キックばねは揺動フレームの回動中心である軸に嵌まっており、その荷重受け部は後方に延びている。従って、揺動フレームはその回動中心よりも後方においてキックばねの荷重受け部で支持されており、このため、ばねにかかる負担を抑制できる利点がある。
【０００７】
【発明が解決しようとする課題】
ところで、椅子を使用する人の身長は様々であり、このために脚柱としてガスシリンダを使用して座を高さ調節できるようにしているが、ガスシリンダの伸縮ストロークには限度があるため、ガスシリンダのみであらゆる身長の人に対応することは難しい。
【０００８】
その場合、身長の高い人は座に座布団を重ねることで対応できるが、座を最低高さに下降させてもやはり高いと感じる身長の低い人にとっては、対処する方法がない。
【０００９】
したがって、使用者の身長差に巾広く対応できるようにするには、座の最低高さを身長の低い人に合わせて、できるだけ低く設定しておくのが好ましい。
【００１０】
しかし、例えば揺動フレームを支持するばねとしてキックばねを使用した椅子の場合、ロッキング時に荷重受け部がベースと干渉することを防止するために、荷重受け部をベースから高く離して配置しなければならず、そのため、ベースから座上面までの距離を小さくするにはおのずと限度があって、座の最低高さを低くし難かった。
【００１１】
特に、座が背もたれに連動して後傾するシンクロ椅子の場合は、座の後傾を許容するための空間が必要になるため、座の最低高さを低くし難かった。
【００１２】
本発明は、このような現状を改善することを主目的とするものである。
【００１３】
【課題を解決するための手段】
請求項１の発明は、脚支柱の上端に固定された上向き開口のベースと、前記ベースの上方に配置した座と、前記ベースの左右外側において後方に延びるように配置されると共に左右長手の軸によってベースに後傾自在に連結された揺動フレームと、前記座の後方に配置されると共に揺動フレームに取り付けられた背もたれと、前記揺動フレームの後傾動を弾性的に支持するためにベース内に設けたばねとが備えられている、というロッキング椅子において、前記ベースは、段違い状の境界部を挟んで手前が幅広部で後方が幅狭部になった平面視略凸形に形成されている。
【００１４】
【００１５】
更に請求項１では、前記ベースはその幅狭部が脚支柱に固定されていて揺動フレームはベースの幅広部に連結されている一方、前記ばねはコイル状に巻かれた線材の一端部を半径外側に延長して荷重受け部と成しているキックばねであり、このキックばねを、荷重受け部が平面視でベースの幅狭部と揺動フレームとの間において後方に延びるように配置しており、前記キックばねの荷重受け部で左右揺動フレームの後傾動を支持しており、かつ、前記左右揺動フレームに、前記座を連結しているか又は座が取り付く中間部材を連結している。
【００１６】
請求項２の発明では、請求項１において、左右揺動フレームの回動中心よりも後方の部位は、当該揺動フレームに座をシンクロさせるための軸で連結されており、この座をシンクロさせるための軸が前記キックばねの荷重受け部で支持されている。
【００１７】
【発明の作用・効果】
本発明では、ロッキング時にキックばねの荷重受け部をベースの幅狭部の外側に逃がすことができるため、キックばねにおける荷重受け部の高さを、ロッキング時にベースと干渉しない状態で低くすることができる。
【００１８】
その結果、座を全体として下方に下げて、下限高さを低くすることができる。
【００２０】
【発明の実施形態】
次に、本発明をキャスター付き回転椅子に適用した実施形態を図面に基づいて説明する。
【００２１】
図１は正面図、図２は右側面図、図３は背面図、図４は上方から見た分離斜視図、図５は下方から見た分離斜視図、図６は部分的な斜視図、図７は非ロッキング状態での縦断側面図、図８はロッキング状態での縦断側面図、図９は概略平断面図、図１０は図９の X-X矢視方向から見た非ロッキング状態での側断面図、図１１は図１０と同様のロッキング状態での側断面図である。
【００２２】
(1).概要
図１〜図３に示すように、椅子は、脚柱（ガスシリンダ）１を備えたキャスター付きの脚２と、座３と、肘掛け装置４と、背もたれ５と、ヘッドレスト装置６とを備えている。
【００２３】
脚支柱１の上端には上向きに開口したベース７が固定されており、ベース７の上方に正面視で翼状に広がる中間部材８と、前記座３とが配置されている。
【００２４】
中間部材８の前部と後部とには、左右一対ずつのブラケット部８ａ，８ｂを下向きに突設しており、前ブラケット部８ａを左右長手の第１軸９でベース７に連結している。第１軸９がベース７に嵌まる穴は前後長手の長穴１０になっており、長穴１０には合成樹脂製のブッシュを装着している。
【００２５】
ベース７の前後略中間部には、揺動フレーム１１の前部が左右長手の第２軸１２によって連結されている。また、揺動フレーム１１の前後中途部には、中間部材８の後部ブラケット８ｂが左右長手の第３軸１３によって連結されている。第３軸１３はねじで揺動フレーム１１に固定されている。
【００２６】
例えば図４や図６に示すように、第２軸１２のうちベース７の内部に位置した部位には、弾性支持手段の一例として、左右２本のキックばね（キックばね）１４が外から嵌まっている。
【００２７】
キックばね１４の一端部は後ろ向きに延びる荷重受け部１４ａとなっており、これに中間部材８の後部ブラケット８ｂが上方から当たっている。また、キックばね１４の他端は受け部材１５で上方から支持されている。
【００２８】
従って、揺動フレーム１１はキックばね１４の弾性に抗して後傾し、かつ、中間部材８及び座３は揺動フレーム１１の後傾動に連動して後傾しつつ後退する（すなわち、座３が背もたれ５にシンクロする。）。キックばね１４の初期弾性力は、受け部材１５に係合したつまみ１６で調節できる。
【００２９】
揺動フレーム１１は、後部に立ち上がり部１１ａを有する側面視略Ｌ字状に形成されており、本実施形態では、アルミダイキャストや樹脂成形によって製造されている。
【００３０】
背もたれ５は、揺動フレーム１１に取付けたバックフレーム（背支柱）１８と、バックフレーム１９の手前側に配置した背もたれ板（背インナー部材）１９と、バックフレーム１９の裏側に配置した裏カバー（背アウター部材）２０とを備えている。背もたれ板１９の前面にはクッション２１を張っている。揺動フレーム１１とバックフレーム１９とを一体構造とすることも可能である。
【００３１】
図示していないが、背もたれ板１９と裏カバー２０との間には、背もたれ板１９のうち主として着座した人の腰に当たる部分を前向きに押し出すランバーサポート装置を配置しており、このランバーサポート装置の昇降操作及び背もたれ板１９の押し出し操作をするため、裏カバー２０を裏側から囲う形状のハンドル２２が配置されている。
【００３２】
(2).ベース及びキックばね
図４〜図９に示すように、ベース７は上向きに開口した箱状に形成されており、第２軸よりも後方の部位を幅狭部７ａに、それよりも手前側の部位は幅広部７ｂに形成することにより、全体として平面視凸形になっており、このため幅狭部７ａと幅広部７ｂとの境界は平面視で階段状の段違い部７ｃになっている。
【００３３】
そして、キックばね１４の荷重受け部１４ａは、ベース７の巾狭部７ａの外側において後方に延びており、このため、キックばねの荷重受け部１４ａは、ベースの幅狭部７ａと干渉することなく、ベース７の上面よりも下方まで押し曲げることができる。従って、キックばね１４の荷重受け部１４ａが平面視でベース７に重なっている場合に比べて、中間部材８をできるだけ下方に配置して、座３の最低高さ寸法をできるだけ小さくすることができる。
【００３４】
ベース７における巾狭部７ａの側板には、第３軸１３をより下方に下降させ得るように、上向きの切り欠き２４を形成している。
【００３５】
図６及び図１０から推測できるように、ばね受け１５は第２軸８に回転自在に嵌まっており、このばね受け１５には、側面視で略Ｕ字状で前向きに延びる荷重受け部１５ａが形成されている。そして、両キックばね１４の他端部１４ｂは、ばね受け１５の前向き突出部１５ａを下方から抱くように延びている。
【００３６】
図６に示すように、ばね受け１５における前向き突出部１５ａの上向き凹所にはボルト受け２５が旋回不能に嵌まっており、このボルト受け２５に上方からボルト２６が回転不能に嵌まっている。ボルト２６はベース７に貫通しており、これにつまみ１６が下方からねじ込まれている。
【００３７】
(3).中間支持体及び座
中間支持体３は合成樹脂製であり（板金製等の金属製でも良い）、左右両側縁はレール部２８になっている。中間部材８の後端には、ベース７の後面を覆う後部カバー２７を設けている。このため、人が中間部材８の後端とベース７の間に指を挟むようなことはない。中間部材８に多数の補強リブを形成している。
【００３８】
座３は合成樹脂製の座板（座インナー部材）２９と、その上面に張ったクッション３０とから成っており、図５や図１４に示すように、座板２９の左右側部には、中間部材８のレール部２８を抱持するガイド溝３１を形成している。これら第１レール２８とガイド溝３１との嵌まり合いにより、座３は中間部材８に対して相対的に前後移動可能となっている。
【００３９】
この場合、レール部２８をガイド溝３１で外側から包んでいるため、着座した人の体重で座板２９が下向き凸状に湾曲しても、レール部２８とガイド溝３１とは嵌合し勝手になるため、座板２９が中間部材８から外れる不測の事態を防止できる利点がある。
【００４０】
座板２９には、その撓み変形を容易ならしめるため、多数条のスリット３２を形成している。また、補強リブも形成している。
【００４１】
なお、中間部材８を設けずに、座板２９を直接にベース７及び揺動フレーム１１に連結しても良い。
【００４２】
(4).他の部材の説明
図１や図７に示す符号３４は、座板２９の下面に取り付けられた下カバーであり、その前端には引手穴４４を形成している。
【００４３】
図７に示すように、第３軸１３にはカム体５６が回転自在に被嵌している。このカム体５６は、ベース７に当接することにより、背もたれ５の傾動範囲を複数（４つ）の範囲に切り換えできるようにするためのものである。
【００４４】
図４や図６に示す符号４８は、第１軸９に被嵌したリンク体であり、これは、第１軸９の後退動に連動して座板３を後退動させるものである。すなわち、リンク体４８の下端部は、ベース７に設けた係止体４７に形成された傾斜状のガイド溝５０に嵌まっている一方、リンク体４８の上端に貫通した係止ピン５１は、座板２９の下面に設けた係合ブラケット５４の嵌合溝５３に嵌まっている。
【００４５】
このため、第１軸９が後退するとリンク体４８が回動し、その回動によって座板２９が中間部材８よりも大きい寸法だけ後退する。中間部材８には、リンク体４８の回動を許容する逃がし穴５２が空いている。
【００４６】
座板２９の係合ブラケット５４には複数の嵌合溝５３を形成しており、下カバー３４の引手穴４４に指をかけて座板２９の前部を上向きに起こすと、係合ピン５１を任意の嵌合溝５３に嵌め込むことができる。すなわち、座３の前後位置を調節することができる。
【図面の簡単な説明】
【図１】実施形態に係る椅子の正面図である。
【図２】右側面図である。
【図３】背面図である。
【図４】中間部材とベースとを上方から見た分離斜視図である。
【図５】ベースと中間部材と座板とを下方から見た分離斜視図である。
【図６】ベースの内部に配置された部材の分離斜視図である。
【図７】非ロッキング状態での縦断側面図である。
【図８】ロッキング状態での縦断側面図である。
【図９】概略平断面図である。
【図10】図９の X-X矢視方向から見た非ロッキング状態での側断面図である。
【図11】図１０と同様のロッキング状態での側断面図である。
【符号の簡単な説明】
１  脚支柱（ガスシリンダ）
２  脚
３  座
５  背もたれ
７  ベース
７ａ  幅狭部
７ｂ  幅広部
７ｃ  段違い部
８  中間部材
８ｂ  後部ブラケット
９  第１軸
１０  長穴
１２  第２軸
１３  第３軸
１４  キックばね
１４ａ  荷重受け部
【図１】
0004160742.tif 000002
【図２】
0004160742.tif 000003
【図３】
0004160742.tif 000004
【図４】
0004160742.tif 000005
【図５】
0004160742.tif 000006
【図６】
0004160742.tif 000007
【図７】
0004160742.tif 000008
【図８】
0004160742.tif 000009
【図９】
0004160742.tif 000010
【図１０】
0004160742.tif 000011
【図１１】
0004160742.tif 000012